(57)【要約】      （修正有） 【課題】案内部材と保持部材の間にできる空間をストローク経路とし、パターシャフトを前記ストローク経路に沿ってストロークすることで、蛇行することなく適正なストロークの練習をすることができる。【解決手段】ゴルフのパターのストローク方向に沿った向きに、パターシャフトを案内する直線的案内部材と、さらにパターシャフトを挟むような形で、前記案内部材と所定の間隔でかつ平行に保持部材を固定してストローク経路とし、前記保持部材は、パターシャフト導入部として前記保持部材の中央部が開いており、前記案内部材及び前記保持部材を支持する左右一対の支持体と、前記左右一対の支持体を固定する踏み台を持つ。【選択図】図１
0003113348.tif 000002
【実用新案登録請求の範囲】
【請求項１】
ゴルフのパターのストローク方向に沿った向きに、パターシャフトを案内する直線的案内部材と、パターシャフトを挟むような形で、前記案内部材と所定の間隔でかつ平行に保持部材を固定してストローク経路とし、
前記保持部材は、パターシャフト導入部として前記保持部材の中央部が開いており、前記ストローク経路に、前記パターシャフト導入部よりパターシャフトを導入あるいは排出することができ、
前記案内部材及び前記保持部材を支持する左右一対の支持体と、前記左右一対の支持体を固定する踏み台を有することを特徴とするゴルフのパッティング練習用具。
【請求項２】
前記案内部材と前記保持部材の間にできる空間をストローク経路として、パターシャフトを前記ストローク経路に沿ってストロークすることを特徴とするゴルフのパッティング練習用具。
【請求項３】
前記案内部材と前記保持部材を所定の間隔でかつ平行に固定した部材受と、
上端に高さ調整用ネジ穴を複数有し、前記部材受を任意の高さ調節用ネジ穴に連結用ネジで固定する前記左右一対の支持体により、
前記案内部材及び前記保持部材の高さを適当に調節できることを特徴とするゴルフのパッティング練習用具。
【考案の詳細な説明】
【技術分野】
【０００１】
本考案は、任意の場所で練習できるゴルフのパッティング練習用具に関するものである。
【背景技術】
【０００２】
ゴルフのパッティング練習用具の一般的な例としては、グリーンを模した人工芝マットの終端に、上り傾斜路及びボールカップを備えたパターマットが知られている。この練習用具は、ゴルフボールとボールカップの距離感やそのときの打力の正確さを養うもので、ゴルフプレイヤーの手軽な練習用具として家庭でも利用されている。
【０００３】
また、最近では、パターのストロークの正確さの向上に着目した練習用具として、パターのストローク方向に沿って案内する直線的案内部材を備えたパッティング練習用具がある（特開平１０−２４８９８４号公報、特許文献１参照）。
【特許文献１】特開平１０−２４８９８４号公報
【考案の開示】
【考案が解決しようとする課題】
【０００４】
パターのストローク練習を行う際に従来の練習用具を用いた場合、使用者はパターシャフトを案内部材に沿って繰り返しストロークを行い精度を高めていくわけだが、このとき、シャフトの重みを案内部材に預けてしまっては、実際にプレイする場合と状況が異なり、練習の意味が損なわれてしまう。そこで、使用者はパターシャフトが案内部材に触れるか触れないか程度の距離を保ちつつストローク練習を行う必要がある。しかし、案内部材がひとつの場合、パターシャフトは案内部材と反対の向きに対して自由に動くことができてしまうため、案内部材とパターシャフトの距離は使用者のストロークごとに一定ではなくなり、ストローク軌道が蛇行してしまうことになる。
【課題を解決するための手段】
【０００５】
上述した課題を解決するために、本考案に係るパッティング練習用具は、ゴルフのパターのストローク方向に沿った向きに、パターシャフトを案内する直線的案内部材と、
さらにパターシャフトを挟むような形で、前記案内部材と所定の間隔でかつ平行に保持部材を固定してストローク経路とし、
前記保持部材は、パターシャフト導入部として前記保持部材の中央部が開いており、前記ストローク経路に、前記パターシャフト導入部よりパターシャフトを導入あるいは排出することができ、
前記案内部材及び前記保持部材を支持する左右一対の支持体と、
前記左右一対の支持体を固定する踏み台を特徴としている（請求項１）。
【０００６】
前記案内部材と前記保持部材の間にできる空間をストローク経路として、パターシャフトを前記ストローク経路に沿って蛇行することなくストロークすることができる（請求項２）。
【０００７】
前記案内部材及び前記保持部材を所定の間隔でかつ平行に固定した部材受と、
上端に高さ調整用ネジ穴を複数有し、前記部材受を任意の高さ調節用ネジ穴に連結用ネジで固定する前記左右一対の支持体により、
前記案内部材及び前記保持部材の高さを適当に調節できる（請求項３）。
【考案の効果】
【０００８】
本考案は、上述のように、ゴルフのパターのストローク方向に沿った向きに、パターシャフトを案内する直線的案内部材と、
さらにパターシャフトを挟むような形で、前記案内部材と所定の間隔でかつ平行に保持部材を固定してストローク経路とし、
前記保持部材は、パターシャフト導入部として前記保持部材の中央部が開いており、前記ストローク経路に、前記パターシャフト導入部よりパターシャフトを導入あるいは排出することができる。
【０００９】
前記案内部材と前記保持部材の間にできる空間をストローク経路として、パターシャフトを前記ストローク経路に沿ってストロークすることで、蛇行することなく適正なストロークの練習をすることができる。
【００１０】
前記案内部材及び前記保持部材を所定の間隔でかつ平行に固定した部材受と、
上端に高さ調整用ネジ穴を複数有し、前記部材受を任意の高さ調節用ネジ穴に連結用ネジで固定する前記左右一対の支持体により、
前記案内部材及び前記保持部材の高さを適当に調節できる。
【考案を実施するための最良の形態】
【００１１】
図１は本考案に係るパッティング練習用具の立体図である。図示されたパッティング練習用具１１は、案内部材１２及び保持部材１３と、案内部材１２及び保持部材１３を支える左右一対の支持体２１と、支持体２１を固定する踏み台３１を有する。案内部材１２と保持部材１３は所定の間隔でかつ平行に設置し、両端部を部材受１４で固定する。案内部材１２と保持部材１３の間にできる空間をストローク経路１５とし、保持部材１３は中央部にストローク経路１５へのパターシャフト導入部１６を有し、パターシャフト導入部１６よりパターシャフトをストローク経路１５に導入あるいは排出することができる。
【００１２】
左右一対の支持体２１は、上端に高さ調整用ネジ穴２２を複数有する。部材受１４は、支持体２１の任意の高さ調節用ネジ穴２２に連結用ネジ２３で固定する。このような構造にすることにより、使用者の体格に合わせて案内部材１２及び保持部材１３の高さを適当に調節することができる。また、左右一対の支持体２１は、木製が好ましいが、Ｌ字鋼でも良い。
【００１３】
左右一対の支持体２１は、下端部を固定用ネジ２４によって踏み台３１の両端部に固定する。また、踏み台３１は、使用者が本考案を用いて練習する際の立ち位置となる。このような構造により、使用者が練習する際に、踏み台３１に立つことで踏み台３１は地面に固定され安定する。それにより、踏み台３１に固定されている支持体２１が安定し、結果として案内部材１２及び保持部材１３が安定する。なおかつ、踏み台３１が、地面の傾きに応じた傾きになるので、より実践的な練習ができる。
【００１４】
図２（a）、（b）は図１に示すパッティング練習用具１１の正面図及び背面図である。案内部材１２及び保持部材１３は、所定の間隔でかつ平行に部材受１４に固定される。部材受１４は、支持体２１上端の任意の高さに固定される。保持部材１３は、中央部にパターシャフト導入部１６を有する。左右一対の支持体２１は、固定用ネジ２４で踏み台３１の両端部に固定される。
【００１５】
図３は図１に示すパッティング練習用具１１の側面図である。左右一対の支持体２１は上端に高さ調節用ネジ穴２２を複数有する。部材受１４は、支持体２１の任意の高さ調節用ネジ穴２２に連結用ネジ２３で連結する。これにより、使用者の体格に合わせて案内部材１２及び保持部材１３の高さを適正に調節することができる。左右一対の支持体２１は、固定用ネジ２４で踏み台３１に固定される。
【００１６】
図４は図１に示すパッティング練習用具１１の上面図である。案内部材１２と保持部材１３は、所定の間隔でかつ平行に設置し、両端部を部材受１４で固定する。保持部材１３は、中央部にパターシャフト導入部１６を有する。案内部材１２と保持部材１３の間にできる空間をストローク経路１５とし、保持部材１３のパターシャフト導入部１６よりパターシャフトをストローク経路１５に導入あるいは排出することができる。
【００１７】
左右一対の支持体２１は、下端部を固定用ネジ２４により踏み台３１の両端に固定する。踏み台３１は、使用者の立ち位置であり、使用者が踏み台３１上に立つことで地面に固定される。すなわち、使用者が踏み台３１に立つことで踏み台３１が地面に固定され安定することで、支持体２１、案内部材１２及び保持部材１３が安定し、ストローク練習の際に、パッティング練習用具のブレによる煩わしさが解消される。なおかつ、踏み台３１が、地面の傾きに応じた傾きになるので、より実践的な練習ができる。
【産業上の利用可能性】
【００１８】
本考案は、上述したように、案内部材及び保持部材によりパターのストローク方向への正確なストロークの案内をするものであり、同様の動作を伴うスポーツであるゲートボールやグラウンドゴルフ、パークゴルフのスティックを用いたストローク練習でも効果的な練習が可能である。
【図面の簡単な説明】
【００１９】
【図１】本考案に係るパッティング練習用具の立体図である。
【図２】（a）、（b）は図１に示すパッティング練習用具の正面図及び背面図である。
【図３】図１に示すパッティング練習用具の側面図である。
【図４】図１に示すパッティング練習用具の上面図である。
【符号の説明】
【００２０】
１１  パッティング練習用具
１２  案内部材
１３  保持部材
１４  部材受
１５  ストローク経路
１６  パターシャフト導入部
２１  支持体
２２  高さ調節用ネジ穴
２３  連結用ネジ
２４  固定用ネジ
３１  踏み台
【図１】
0003113348.tif 000003
【図２】
0003113348.tif 000004
【図３】
0003113348.tif 000005
【図４】
0003113348.tif 000006
【手続補正書】
【提出日】平成17年6月13日(2005.6.13)
【手続補正１】
【補正対象書類名】実用新案登録請求の範囲
【補正対象項目名】全文
【補正方法】変更
【補正の内容】
【実用新案登録請求の範囲】
【請求項１】
ゴルフのパターのストローク方向に沿った向きに、パターシャフトを案内する直線的案内部材と、パターシャフトを挟むような形で、前記案内部材と所定の間隔でかつ平行に保持部材を固定してストローク経路とし、
前記保持部材は、パターシャフト導入部として前記保持部材の中央部が開いており、前記ストローク経路に、前記パターシャフト導入部よりパターシャフトを導入あるいは排出することができ、
前記案内部材及び前記保持部材を支持する左右一対の支持側板と、前記左右一対の支持側板を固定する踏み台を有することを特徴とするゴルフのパッティング練習用具。
【請求項２】
前記案内部材と前記保持部材の間にできる空間をストローク経路として、パターシャフトを前記ストローク経路に沿ってストロークすることを特徴とする請求項１に記載のゴルフのパッティング練習用具。
【請求項３】
前記案内部材と前記保持部材を所定の間隔でかつ平行に固定した部材受と、
上端に高さ調整用ネジ穴を複数有し、前記部材受を任意の高さ調節用ネジ穴に連結用ネジで固定する前記左右一対の支持側板により、
前記案内部材及び前記保持部材の高さを適当に調節できることを特徴とする請求項１に記載のゴルフのパッティング練習用具。